(57)【要約】【課題】走行車等の走行用ミッションケースにおける駐車ブレーキ構成の複雑さと、遊星ギヤ機構におけるブレーキ性能保持についての改善。【解決手段】ギヤ連動機構における操向クラッチ軸１の操向クラッチ２と遊星ギヤ軸３の遊星ギヤ機構Ｐにより、操向作用や旋回作用を実行可能な走行用ミッションケース４を有する走行車等において、遊星ギヤ軸３の軸端部に駐車ブレーキ５を取り付け、この駐車ブレーキ５と遊星ギヤ機構Ｐのキャリアブレーキ６との間にブレーキピストン７を配置し、駐車ブレーキ５のブレーキケース５ａにブレーキライニング５ｂを設け、このブレーキライニング５ｂの制動用にキャリアブレーキ６の固定側ケース８を利用すると共に、キャリアブレーキ６のブレーキライニング６ａにオイルを強制通過可能に、駐車ブレーキ５の回転体９の作用による循環回路ｃを設けたことを特徴とする駐車ブレーキ装置の構成とする。【選択図】　　　　　　図１
2004028136.tif 000002
【特許請求の範囲】
【請求項１】
ギヤ連動機構における操向クラッチ軸１に軸承した操向クラッチ２と遊星ギヤ軸３に軸装した遊星ギヤ機構Ｐにより、直進時の左右操向作用や各旋回モードによる旋回作用を実行可能な走行用ミッションケース４を有する走行車等において、該遊星ギヤ軸３の一方の軸端部に駐車ブレーキ５を取り付け、この駐車ブレーキ５と遊星ギヤ機構Ｐのキャリアブレーキ６との間に油圧作用のブレーキピストン７を配置し、該駐車ブレーキ５のブレーキケース５ａにブレーキライニング５ｂを設けると共に、このブレーキライニング５ｂの制動受圧板として該キャリアブレーキ６の固定側ケース８を利用したことを特徴とする駐車ブレーキ装置。
【請求項２】
ギヤ連動機構における操向クラッチ軸１に軸承した操向クラッチ２と遊星ギヤ軸３に軸装した遊星ギヤ機構Ｐにより、直進時の左右操向作用や各旋回モードによる旋回作用を実行可能な走行用ミッションケース４を有する走行車等において、該遊星ギヤ機構Ｐのキャリアブレーキ６のブレーキライニング６ａの内径側から外径側へ向けオイルを強制通過可能に、該駐車ブレーキ５の回転体９の遠心力作用による循環回路ｃを設けたことを特徴とする請求項１記載の駐車ブレーキ装置。
【発明の詳細な説明】
【０００１】
【発明の属する技術分野】
この発明は、走行車等の駐車ブレーキ装置に関し、ギヤ連動機構を有する走行用ミッションケースにおいて、遊星ギヤ機構の軸端部に駐車ブレーキ装置を設けているもの等の分野に属する。
【０００２】
【従来の技術】
走行車等に設けられている走行用ミッションケースにおいて、副変速部による変速動力を操向クラッチの入・切を経て遊星ギヤ機構のキャリアブレーキの強弱作用により、直進時の左右操向作用や各旋回モードによる旋回作用を実行可能とするギヤ連動機構を有しているものであって、従来では、このギヤ連動機構における連動経路の操向クラッチ軸より上手側に位置する軸端部に駐車ブレーキを取り付けているもの等が一般的であった。
【０００３】
【発明が解決しようとする課題】
このように、該駐車ブレーキを、走行用ミッションケースのギヤ連動機構における操向クラッチを支承する軸より上手側に位置する軸の端部に取り付けているものにおいては、この駐車ブレーキの制動時に、ブレーキライニングの制動圧力を受け止めるための受圧板を別に設ける必要があり、構成が複雑になると共に、余分のスペースを必要とし、コスト的にも不利となる。
【０００４】
また、遊星ギヤ機構のキャリアブレーキは、遊星ギヤ機構の回転数を調整するために、ブレーキライニングを或る程度滑らせる半ブレーキ状態での使用が主となることから、発熱による摩擦力の低下により、ブレーキ性能を保持し難いと共に、ライニングの耐久性の劣化を生じるものであった。
【０００５】
そこで、このような、走行用ミッションケースにおける駐車ブレーキの構成の複雑化と、遊星ギヤ機構のキャリアブレーキにおけるブレーキ性能保持についての改善を行う。
【０００６】
【課題を解決するための手段】
請求項１の発明は、ギヤ連動機構における操向クラッチ軸１に軸承した操向クラッチ２と遊星ギヤ軸３に軸装した遊星ギヤ機構Ｐにより、直進時の左右操向作用や各旋回モードによる旋回作用を実行可能な走行用ミッションケース４を有する走行車等において、該遊星ギヤ軸３の一方の軸端部に駐車ブレーキ５を取り付け、この駐車ブレーキ５と遊星ギヤ機構Ｐのキャリアブレーキ６との間に油圧作用のブレーキピストン７を配置し、該駐車ブレーキ５のブレーキケース５ａにブレーキライニング５ｂを設けると共に、このブレーキライニング５ｂの制動受圧板として該キャリアブレーキ６の固定側ケース８を利用したことを特徴とする駐車ブレーキ装置の構成とする。
【０００７】
このような構成により、直進時の左右操向作用や各旋回モードによる旋回作用を行うとき、左又は右の操向クラッチ２を切り作用させると同時に、左又は右のキャリアブレーキ６をブレーキピストン７の油圧作用により押圧し、遊星ギヤ機構Ｐを適宜回転させ左右側への操向作用や旋回作用を実行させるものにおいて、該遊星ギヤ機構Ｐを軸装する遊星ギヤ軸３の一方の軸端部に、ブレーキケース５ａにブレーキライニング５ｂを装着した状態の駐車ブレーキ５を脱着容易に取り付けると共に、この駐車ブレーキ５の制動時には、ブレーキライニング５ｂの制動圧力を受け止める受圧板として、キャリアブレーキ６の固定側ケース８の端面を利用して制動駐車を行わせる。
【０００８】
請求項２の発明は、ギヤ連動機構における操向クラッチ軸１に軸承した操向クラッチ２と遊星ギヤ軸３に軸装した遊星ギヤ機構Ｐにより、直進時の左右操向作用や各旋回モードによる旋回作用を実行可能な走行用ミッションケース４を有する走行車等において、該遊星ギヤ機構Ｐのキャリアブレーキ６のブレーキライニング６ａの内径側から外径側へ向けオイルを強制通過可能に、該駐車ブレーキ５の回転体９の遠心力作用による循環回路ｃを設けたことを特徴とする請求項１記載の駐車ブレーキ装置の構成とする。
【０００９】
このような構成により、直進時の左右操向作用や各旋回モードによる旋回作用を行うとき、左又は右の操向クラッチ２を切り作用させると同時に、左又は右のキャリアブレーキ６をブレーキピストン７の油圧作用により押圧し、遊星ギヤ機構Ｐを適宜回転させ左右側への操向作用や旋回作用を実行させるものにおいて、該キャリアブレーキ６の可動側軸受部を介し、該駐車ブレーキ５のブレーキライニング５ｂの作動用回転体９の遠心力作用により、該キャリアブレーキ６のブレーキライニング６ａの内径側から外径側へ向けてオイルの循環回路ｃを強制通過させて、ブレーキライニング６ａの冷却を行わせる。
【００１０】
【発明の効果】
請求項１の発明では、上記作用の如く、操向クラッチ２の切り作用と同時に、遊星ギヤ機構Ｐを適宜回転させ左右操向作用や旋回作用を実行させるものにおいて、該遊星ギヤ軸３端部のブレーキピストン７の外側へ、ブレーキケース５ａにブレーキライニング５ｂを装着した駐車ブレーキ５を取り付けることにより、駐車ブレーキ５のみの脱着が容易となりメンテナンス性を向上できると共に、キャリアブレーキ６の固定側ケース８の端面を、この駐車ブレーキ５の制動時にブレーキライニング５ｂの制動圧力を受け止める受圧板として利用することにより、スペースを小さくコンパクトに構成でき、コスト的にも有利となる。
【００１１】
請求項２の発明では、上記作用の如く、操向クラッチ２の切り作用と同時に、遊星ギヤ機構Ｐを適宜回転させ左右操向作用や旋回作用を実行させるものにおいて、該キャリアブレーキ６の可動側軸受部を介して駐車ブレーキ５の回転体９の遠心力作用により、ブレーキライニング６ａの内径側から外径側へ向けオイルの循環回路ｃを強制通過させて効果的に冷却を行わせ、半ブレーキ状態での使用が主となるブレーキライニング６ａの摩擦力の低下を防止し、ブレーキ性能を保持できると共に、ライニングの耐久性向上を図ることができる。
【００１２】
【発明の実施の形態】
以下に、この発明の実施例を走行車等としてのコンバインについて図面に基づき説明する。
図１３はコンバインの全体構成を示すもので、車台１０の下部側に土壌面を走行する左右一対の走行クローラ１１を張設した走行装置１２を配設すると共に、該車台１０上に、フィードチェン１３に挟持して搬送供給される穀稈を脱穀処理した穀粒を選別回収して一時貯留するグレンタンク１４と、このタンク１４に貯留された穀粒を機外へ排出する排穀オーガ１５を備えた脱穀装置１６を載置配設し、この脱穀装置１６の後端部に排藁処理装置１７を装架構成させる。
【００１３】
該脱穀装置１６の前方に、前端側から未刈穀稈を分草する分草体１８と、分草した穀稈を引き起こす引起部１９と、引き起こした穀稈を刈り取る刈刃部２０と、刈り取った穀稈を掻き込むと共に搬送途上において扱深さを調節して該フィードチェン１３へ引き継ぎを行う供給調節搬送部２２等を有する刈取装置２１を、油圧駆動による刈取昇降シリンダ２３により土壌面に対して昇降自在なるよう該車台１０の前端部へ懸架配設して構成させる。
【００１４】
該刈取装置２１の一側にコンバインの操作制御を行う操作装置２４と、操作のための操作席２５を設け、この操作席２５の下方にエンジン２６を搭載し、後方側に前記グレンタンク１４を配置すると共に、操作装置２４と操作席２５を覆うキャビン２７を設け、これらの走行装置１２，脱穀装置１６，刈取装置２１，操作装置２４，エンジン２６，キャビン２７等によってコンバインの車体２８を構成させる。
【００１５】
該走行装置１２は、車台１０の前部側に走行用ミッションケース４を装架しており、このミッションケース４のギヤ伝動機構として、図５，図６に示す如く、該エンジン２６から油圧式無段変速装置Ｈの可変ポンプ２９に軸止した入力プーリ３０を駆動可能に伝動ベルトを張設すると共に、この可変ポンプ２９によって一体的に駆動する油圧モータ３１から第１軸としての入力軸３２に入力連動し、この入力軸３２に入力ギヤ３３を軸回転して構成させる。
【００１６】
該入力ギヤ３３と、第２軸としての変速駆動軸３４に軸回転する変速伝動ギヤ３５とを噛合連動させ、この変速駆動軸３４に軸遊転する中速ギヤ３６（標準作業速）及び低速ギヤ３７（倒伏作業速）と、該中速ギヤ３６の延長ボス部に重接遊転する高速ギヤ３８（走行速）と、該変速駆動軸３４に軸回転するシフト用クラッチ３９とを適宜位置に配列して構成させる。
【００１７】
図４に示す如く、該シフト用クラッチ３９は、外周にシフタ溝４０ａと内周にクラッチ爪４０ｂを設けた可動リング４０を、該変速駆動軸３４に軸回転する固定リング４１の外周に対し該クラッチ爪４０ｂを噛合させて左右摺動可能に係合重接して構成させる。
【００１８】
図示しないシフタの作用により中立位置の該可動リング４０を右に摺動させ、該クラッチ爪４０ｂと低速ギヤ３７のクラッチ爪３７ａを噛合させたときは低速変速となり、中立位置の該可動リング４０を左に摺動させ、該クラッチ爪４０ｂと中速ギヤ３６のクラッチ爪３６ａを噛合させたときは中速変速となり、更に、該可動リング４０を左に摺動させ、該クラッチ爪４０ｂと高速ギヤ３８のクラッチ爪３８ａを噛合させたときは高速変速となるよう構成させる。
【００１９】
第３軸としての変速伝動軸４２に、該中速ギヤ３６，低速ギヤ３７，高速ギヤ３８と、各々常時噛合連動させる中速伝動ギヤ４３，低速伝動ギヤ４４，高速伝動ギヤ４５を軸回転させると共に、変速された動力を伝動する変速伝動ギヤ４６を変速伝動軸４２に軸回転して構成させる。２１ａは、該変速駆動軸３４の外側端部に軸回転する刈取装置２１駆動用の刈取駆動プーリを示す。
【００２０】
図１，図２に示す如く、該変速伝動軸４２の変速伝動ギヤ４６と、第４軸としての操向クラッチ軸１のセンターに軸回転する操向センタギヤ４７とを噛合連動させ、この操向センタギヤ４７の両側に左右の操向ギヤ４８を軸遊転し、車体２８の直進操向及び旋回作用時に、油圧作用のクラッチライニング２ａと圧縮バネ２ｂにより左右の操向クラッチ２を接続と非接続状態に制御を行い、車体２８の直進時には左右の操向クラッチ２を接続状態とし操向ギヤ４８を軸回転させる構成とする。
【００２１】
該操向クラッチ軸１の操向センタギヤ４７と、第５軸としての遊星ギヤ軸３に軸回転する遊星センタギヤ４９とを噛合連動させると共に、この遊星センタギヤ４９の両側に、左右対称の遊星ギヤ機構Ｐを配置して構成させる。
該遊星ギヤ機構Ｐは（左右対称であり片側についてのみ説明する）、該操向クラッチ軸１の操向ギヤ４８と、遊星ギヤ軸３に軸遊転する短円筒形状のキャリア５０の外周ギヤ５０ａとを噛合連動させると共に、キャリア５０の内周面側に、外径の異なる２連の遊星大径ギヤ５１ａ，遊星小径ギヤ５１ｂと別の遊星ギヤ５２とを、キャリア５０に固定した支持軸５１ｃと支持軸５２ａとによって各３個宛交互に軸遊転配置して構成させる。
【００２２】
該遊星ギヤ軸３の両端部に左右のサンギヤ５３を各々軸回転配置し、このサンギヤ５３と該各遊星大径ギヤ５１ａとを各々噛合連動させ、各遊星小径ギヤ５１ｂと各遊星ギヤ５２とを各々噛合連動させると共に、各遊星ギヤ５２と遊星ギヤ軸３に軸遊転する外径の異なる２連ギヤの出力小径ギヤ５４ａとを噛合連動して構成させる。
【００２３】
図３に示す如く、該キャリア５０の一端部に、ブレーキピストン７の油圧力を受けたブレーキライニング６ａの作用により、キャリアブレーキ６を制動状態と非制動状態とに制御可能に接続させ、該遊星ギヤ軸３の軸端部を支承する該キャリアブレーキ６の固定側ケース８にブレーキピストン７を保持させると共に、片方の該固定側ケース８に、ブレーキケース５ａにブレーキライニング５ｂを装着した駐車ブレーキ５を脱着容易に組み付けて構成させる。
【００２４】
該駐車ブレーキ５は、外部の駐車ブレーキアーム５５の回動により、該ブレーキライニング５ｂを、該キャリアブレーキ６の固定側ケース８の端面ｆに押圧して制動させると共に、該ブレーキライニング５ｂの内径側を、該遊星ギヤ軸３端部に軸回転する回転体９と係合させることにより駐車制動可能に構成させる。
【００２５】
該２連ギヤの出力小径ギヤ５４ａと一体形成の出力大径ギヤ５４ｂと、第６軸としての走行中間軸５６に軸遊転する外径の異なる２連ギヤの走行中間大径ギヤ５７ａとを噛合連動させると共に、該２連ギヤの走行中間大径ギヤ５７ａと一体形成の左右の走行中間小径ギヤ５７ｂと、第７軸としての左右の走行減速軸５８の各一端部に軸回転する左右の減速大径ギヤ５９とを噛合連動して構成させる。
【００２６】
該走行減速軸５８の各他端部に軸回転する左右の減速小径ギヤ６０と、第８軸としての左右の車軸６１の各一端部に軸回転する左右の車軸ギヤ６２とを噛合連動し、左右の車軸６１の各他端部に、前記走行クローラ１１を駆動する左右の走行駆動輪６３を軸回転可能に取付け構成させる。
【００２７】
前記走行装置１２の走行用ミッションケース４の作用と、刈取装置２１の昇降作用と、脱穀装置１６の排穀オーガ１５の昇降作用と、車体２８に対する走行クローラ１１のローリング及びピッチング作用とを各々油圧制御回路Ｈによって実行可能に接続構成させる。
【００２８】
該油圧制御回路Ｓは、図７に示す如く、油タンク６４から油圧ポンプ６５により供給される圧油を、走行系油圧回路Ｒとして減圧弁６６を介し設定圧力（二次圧）を保持させ、左右の固定絞り６７とクラッチ切替電磁弁６８を経て前記左右の操向クラッチ２へ各々供給可能に接続すると共に、この油路途中から左右のブレーキ圧力調整用の電磁比例減圧弁６９を経て前記左右のキャリアブレーキ６へ各々供給可能に接続して構成させる。
【００２９】
次に、油圧ポンプ６５により供給される圧油を、作業系油圧回路Ｗとしてシーケンス弁７０を介し主リリーフ弁７１により設定圧力（一次圧）を保持させ、上昇用切替弁７２ａと下降用切替弁７２ｂ、及び各調整弁７２ｃと７２ｄ，リリーフ弁７２ｅ，チェック弁付き絞り弁７２ｆを組合わせた昇降電磁弁７２（電磁比例流量制御弁）を経て、該刈取装置２１の刈取昇降シリンダ２３及び脱穀装置１６の排穀オーガ１５用オーガシリンダ１５ａへ、各々切替電磁弁７３を介して供給可能に接続して構成させる。
【００３０】
該刈取昇降電磁弁７２を経た圧油を、切替電磁弁７４ａと組合せたアンロード弁７４へ供給すると共に、車体２８の水平制御作用を行う左右のローリング切替電磁弁７５から逆止め弁７５ａ及びチェック弁付き絞り弁７５ｂを経た左右のローリングシリンダ７６と、ピッチング流量制御電磁弁７７から逆止め弁７７ａを経たピッチングシリンダ７８とに各々供給可能に接続して構成させる。
【００３１】
エンジン２６からの動力を油圧式無段変速装置Ｈの可変ポンプ２９へ入力し、この可変ポンプ２９によって駆動される油圧モータ３１による主変速動力を入力軸３２に入力連動し、この入力軸３２の入力ギヤ３３から変速駆動軸３４の変速伝動ギヤ３５へ連動させる。
【００３２】
この連動により変速駆動軸３４のシフト用クラッチ３９を、中立位置から右へ摺動させたときは、低速ギヤ３７を駆動すると共に変速伝動軸４２の低速伝動ギヤ４４へ連動して低速変速となり、中立位置から左へ摺動させたときは、中速ギヤ３６を駆動すると共に変速伝動軸４２の中速伝動ギヤ４３へ連動して中速変速となり、更に、この中速位置から左へ摺動させたときは、高速ギヤ３８を駆動すると共に変速伝動軸４２の高速伝動ギヤ４５へ連動して高速変速となる。
【００３３】
このように低・中・高速の変速を行った副変速部による動力を、該変速伝動軸４２の変速伝動ギヤ４６から操向クラッチ軸１の操向センタギヤ４７へ連動させると共に、この操向センタギヤ４７の連動時に、左右の操向クラッチ２を同時に入り（接続状態）としたときは車体２８の直進を行わせることができる。
【００３４】
また、車体２８の旋回作用を行わせるときは、左（又は右）の操向クラッチ２の切り（非接続状態）と同時に、左（又は右）のキャリアブレーキ６に対し旋回作用力に応じて制動圧力を電磁比例減圧弁６９によって立ち上げることにより、左（又は右）のサンギヤ５３及びキャリア５０とその遊星大径ギヤ５１ａ，遊星小径ギヤ５１ｂ，遊星ギヤ５２によるギヤ減速比によって、出力小径ギヤ５４ａを経て出力大径ギヤ５４ｂの回転数が低下する。
【００３５】
この回転数の低下により、該左（又は右）のキャリア５０の回転数とサンギヤ５３の回転数とのギヤ比によって、徐々に回転数が低下していく左（又は右）の出力大径ギヤ５４ｂと、該右（又は左）の操向クラッチ２の入りによる通常回転数の右（又は左）の出力大径ギヤ５４ｂから、各々左右の走行中間大径ギヤ５７ａへ連動させる。
【００３６】
この左右の走行中間大径ギヤ５７ａを経て走行中間小径ギヤ５７ｂから、左右の走行減速軸５８の減速大径ギヤ５９を経て減速小径ギヤ６０を駆動させ、この減速小径ギヤ６０から左右の車軸６１の車軸ギヤ６２へ連動し、この車軸ギヤ６２による通常回転数の右（又は左）の走行駆動輪６３に対し、左（又は右）の走行駆動輪６３を減速させて旋回作用を行わせる。
【００３７】
以上の作用を行うものにおいて、前記の如く、駐車ブレーキ５を、ブレーキケース５ａにブレーキライニング５ｂを装着した状態で、遊星ギヤギヤ軸３のキャリアブレーキ６を押圧するブレーキピストン７の外側に取り付けることにより、駐車ブレーキ５のみの脱着が容易となりメンテナンス性を向上できると共に、該キャリアブレーキ６の固定側ケース８の端面ｆを、駐車ブレーキ５の制動時にブレーキライニング５ｂの制動受圧板として利用することができ、コンパクト化を図ることができる。
【００３８】
また、別に設けたオイルクーラ（図示せず）による冷却後のミッションオイルを、該キャリアブレーキ６の固定側ケース８を介して、駐車ブレーキ５のブレーキライニング５ｂの内径側に係合して回転する回転体９の遠心力作用により、キャリアブレーキ６のブレーキライニング６ａの内径側から外径側へ向けオイルの循環回路ｃを強制通過（図１参照）させて効果的に冷却を行わせ、半ブレーキ状態での使用が主となるブレーキライニング６ａの摩擦力の低下を防止し、ブレーキ性能を保持させると共に、ライニングの耐久性向上を図ることができる。
【００３９】
また、前記操向クラッチ２のクラッチライニング２ａとキャリアブレーキ６のブレーキライニング６ａの容量を、半ブレーキ状態での使用が主となるキャリアブレーキ６側を、入・切のみの使用となる操向クラッチ２側より大きく構成することにより、微妙な旋回作用が行い易くなると共に耐久性の面でも効果がある。
【００４０】
また、図８に示す如く、該操向ラッチ２を、クラッチピストン２ｃの油圧力による可動側軸受部２ｄの摺動によりクラッチライニング２ａと圧縮バネ２ｂを作用させて入・切するとき、操向ラッチ２の切りによる操向作用（方向修正）では応答性を向上させるため短時間で切り作用できることが必要であり、操向クラッチ２の入りによる旋回作用では大きなトルクを必要とする。
【００４１】
このため、クラッチピストン２ｃの油圧作用油の容積を切り側ｂに対し入り側ａを大きく構成することにより、切り側ｂでは該ピストン２ｃの戻り量が減り瞬時に切ることができると共に、入り側ａでは大きなトルクを得ることができる。（切り側ｂでは圧縮バネ２ｂを押圧するトルクのみでよい）
また、前記図８に示す如く、該操向ラッチ２において、クラッチピストン２ｃと可動側軸受部２ｄを支承する２個のスラスト軸受ｓを、該ピストン２ｃの内径側と外形側の円周方向に重列配置構成することにより、従来の如く、２個並べて直列配置しているものに対し操向ラッチ２の幅方向の寸法が小さくなり、該ミッションケース４自体もコンパクト化できると共に、スラスト軸受ｓの容量も大きくでき耐久性が向上する。
【００４２】
また、該ミッションケース４の車軸６１に走行駆動輪６３を取り付ける方法として、図９，図１０に示す如く、この走行駆動輪６３を円周方向に２個以上に分割すると共に、この分割した分割駆動輪６３ａをハブ６３ｂ及びフランジ６３ｃにより挟み付け固定して構成させる。
【００４３】
このような構成により、該走行駆動輪６３を分割して車軸６１に固定することにより、前記走行クローラ１１を装着したままで走行駆動輪６３の交換が可能であるから、従来の如く、走行クローラ１１を取り外して交換するものに対し大幅な工数低減ができると共に、走行駆動輪６３の固定を、ハブ６３ｂ及びフランジ６３ｃによる二重締結を行うため確実に固定することができる。
【００４４】
なお、該フランジ６３ｃは走行駆動輪６３そのものの固定と、走行駆動輪６３を車軸６１軸端に固定する機能とを合わせもっているから、部品を増やすことなく固定確実化を図ることができる。
また、前記図７に示す如き油圧制御回路Ｓの走行系油圧回路Ｒにおいて、従来では、電装系のトラブルや各電磁弁の塵埃詰まり等により、該操向クラッチ２の入りとブレーキ圧力調整用の電磁比例減圧弁６９が同時に作動したような場合、操向クラッチ２が接続状態のままキャリアブレーキ６を制動することになり、メカロックにより、各ギヤ及び操向クラッチ２，キャリアブレーキ６等の破損が発生し、該ミッションケース４の故障を招き走行不能となる恐れがある。
【００４５】
このため、該操向クラッチ２の切り側回路ｋに電磁比例減圧弁６９を並列に配置構成することにより、操向クラッチ２を接続した状態では電磁比例減圧弁６９は昇圧しないためキャリアブレーキ６が制動されることがなく、メカロックによる該ミッションケース４の故障を防止することができる。
【００４６】
また、前記図７に示す如き油圧制御回路Ｓの走行系油圧回路Ｒにおいて、従来では、上記の如きメカロックによる該ミッションケース４の故障が発生しない場合でも、該操向クラッチ２のクラッチピストン２ｃの作動に時間が掛かるときは、圧油の流量を全て操向クラッチ２側に取られ該電磁比例減圧弁６９の昇圧の遅れに繋がり、該キャリアブレーキ６の回転制御に遅れを生じ旋回作用のタイミング遅れを招く。
【００４７】
このため、該操向クラッチ２側の圧油の流量を該電磁比例減圧弁６９側より大きく構成することにより、操向クラッチ２の入・切を素早く行うことができるから、該キャリアブレーキ６の回転制御遅れによる旋回作用のタイミング遅れを解消できる。
【００４８】
また、前記図７に示す如き油圧制御回路Ｓの作業系油圧回路Ｗにおいて、従来では、単一の電磁比例流量制御弁としての昇降電磁弁７２により、前記刈取昇降シリンダ２３を作動させ該刈取装置２１のスピード昇降を行わせていたが、相互の作用タイミングが重複しない刈取昇降シリンダ２３と、該脱穀装置１６の排穀オーガ１５用オーガシリンダ１５ａとを、該単一の昇降電磁弁７２による高速での作動制御を行わせるよう構成することにより、各別に流量制御弁を設けているものより構成を簡素化して安価にできる。
【００４９】
また、前記図７に示す如き油圧制御回路Ｓの作業系油圧回路Ｗにおいて、従来では、刈取作業時において、ピッチング速度が速いと刈高さが乱れ、逆に、湿田でのバランス修正が遅いと該刈取装置２１での泥押しが発生し作業性が悪くなるため、ピッチングシリンダ７８の作動用として、通常の切替電磁弁に代えピッチング流量制御電磁弁７７を設けて構成させることにより、ピッチング時の速度を可変として作業状態により高速・低速の使い分けを可能とし作業性が向上すると共に、ピッチングの効果をより発揮することができる。
【００５０】
また、図１１に示す如く、前記走行用ミッションケース４の油圧サーボ付油圧式無段変速装置Ｈでは、チャージポンプ（図示せず）に供給するオイル量が多く、前記油タンク６４に返油するドレン回路ｄに設けたオイルクーラ７９に送油するときは、該クーラ７９の配管抵抗によりドレン圧力が上昇し該無段変速装置Ｈの不具合の原因となっていた。
【００５１】
このため、該ドレン回路ｄを流れるドレンオイルの一部を該無段変速装置Ｈとオイルクーラ７９との間に設けた、前記作業系油圧回路Ｗにオイルを供給するギヤポンプ８０に送油することにより、オイルクーラ７９に送油されるオイル量が減りドレン圧力の上昇を抑えることができる。
【００５２】
なお、このドレンオイルは、該無段変速装置Ｈにおける高密度のフィルタを通過した塵埃の無いオイルであり、該作業系油圧回路Ｗの各バルブ類のトラブルを防止できると共に、作業系油圧回路Ｗに専用のフィルタを設ける必要がなくコストメリットがある。
【００５３】
また、該作業系油圧回路Ｗにおける比例流量制御用としての昇降電磁弁７２の作用により、刈取昇降シリンダ２３を作動させて該刈取装置２１の上下昇降速度を変速可能とするものにおいて、引起部１９の回転速度が高速のときは標準速の場合より刈取昇降速度を遅くするよう構成させる。
【００５４】
このような構成により、穀稈倒伏時の刈取作業においては、引起し速度を高速とし引起性能を向上させるようにしているから、引起し速度が高速のときは倒伏作業と判断し、より細かな刈高さ調節が容易となるよう刈取昇降速度を遅くすることによって、刈り残しのない倒伏作業を的確に行うことができる。
【００５５】
また、前記と同様に、該刈取装置２１の上下昇降速度を変速可能とするものにおいて、前記走行用ミッションケース４における副変速部の変速位置が、倒伏作業速のときは標準作業速の場合より刈取昇降速度を遅くするよう構成させる。
このような構成により、倒伏作業速のときは刈り残し防止のため、より細かな刈高さ調節が要求されるから、倒伏作業速の位置に変速したときは自動的に刈取昇降速度を遅くすることにより、微妙な刈高さ設定が容易となり刈り残しの無い作業を容易に行うことができると共に、倒伏作業速では車速が遅くなっているため、刈取昇降速度を遅くしても該刈取装置２１の分草体１８先端が土壌面に突っ込む等のトラブルに対し対応することができる。
【００５６】
また、前記走行クローラ１１を車体２８に対し上下昇降させるピッチング制御を行う構成について、走行クローラ１１は左右共用のため片側についてのみ説明する。図１２に示す如く、前記車台１０の前側下部に設けた支持枠８１にローリングメタル８２を固定し、このメタル８２に前部ローリングアーム８３の中間部を支承し、このアーム８３の下端部を転輪フレーム８４の前部に回動可能に連結して構成させる。
【００５７】
該車台１０の後側下部に固定したピッチングメタル８５にピッチングアーム８６の一端部を支承すると共に、その他端部と、平面視Ｈ字状の連結アーム８７の一端部とをピン連結し、この連結アーム８７の他端部と、後部ローリングアーム８８の中間部とをピン連結し、このアーム８８の下端部を該転輪フレーム８４の後部に回動可能に連結して構成させる。
【００５８】
該車台１０から上方へ延長した取付枠８９に、前記ピッチングシリンダ７８が鉛直姿勢となるよう、その固定側をピン連結すると共に、該シリンダ７８のピストン先端部と、該ピッチングアーム８６の他端部とをピン連結して構成させる。該前部ローリングアーム８３の上端部と、後部ローリングアーム８８の上部側とを連結杆９０によって各々ピン連結し、更に、該アーム８８の上端部と、ローリングシリンダ７６のピストン先端部とをピン連結すると共に、このシリンダ７６が横方向姿勢となるよう、その固定側を該車台１０の取付枠９１にピン連結して構成させる。
【００５９】
該転輪フレーム８４の前端部に前記走行駆動輪６３を、後端部に後部転輪９２を、接地側に複数個の接地転輪９３を各々配設し、これらの走行駆動輪６３，後部転輪９２，接地転輪９３等に対し該走行クローラ１１を巻き掛け張設して構成させる。
【００６０】
前記脱穀装置１６において一番穀粒を揚送する揚穀筒９４下部に設けた一番メタル９５を、該車台１０上における該ピッチングシリンダ７８の後方に臨ませるよう配設して構成させる。
このような構成とすることにより、該後部ローリングアーム８８の上方にピッチングシリンダ７８のピストン連結部を配置し、該ピッチングシリンダ７８を一番メタル９５の前方に鉛直姿勢で配置することにより、ピッチングストロークの拡大が可能になると共に、ピッチングシリンダ７８を鉛直姿勢とすることによりローリングシリンダ７６との重なりがなくなり、ピッチングシリンダ７８及びローリングシリンダ７６のメンテナンスを容易に行うことができる。
【図面の簡単な説明】
【図１】走行用ミッションケースのギヤ連動機構における配列状態を示す正面拡大図。
【図２】走行用ミッションケースのギヤ連動機構における配列状態を示す正面線図。
【図３】走行用ミッションケースでの駐車ブレーキの組み付け状態を示す正面拡大図。
【図４】走行用ミッションケースにおける副変速部の変速機構関係を示す正面拡大図。
【図５】走行用ミッションケースのギヤ連動機構における配列状態を示す正面展開図。
【図６】走行用ミッションケースのギヤ連動機構における配列状態を示す側面線図。
【図７】走行装置と刈取装置及び脱穀装置の各制御を行う油圧回路を示すブロック図。
【図８】走行用ミッションケースにおける操向クラッチ関係の機構を示す正面拡大図。
【図９】走行クローラを駆動する走行駆動輪を分割して組み付けた状態を示す正面図。
【図１０】走行クローラを駆動する走行駆動輪を分割して組み付けた状態を示す側面図。
【図１１】走行用ミッションケースの油圧無段変速装置のドレン回路を示すブロック図。
【図１２】走行クローラ制御用のピッチングシリンダの取り付け位置関係を示す側面図。
【図１３】コンバインにおける全体構成を示す側面図。
【符号の説明】
１．　操向クラッチ軸
２．　操向クラッチ
３．　遊星ギヤ軸
４．　走行用ミッションケース
５．　駐車ブレーキ
５ａ．ブレーキケース
５ｂ．ブレーキライニング
６．　キャリアブレーキ
６ａ．ブレーキライニング
７．　ブレーキピストン
８．　固定側ケース
９．　回転体
Ｐ．　遊星ギヤ機構
ｃ．　循環回路
【図１】
2004028136.tif 000003
【図２】
2004028136.tif 000004
【図３】
2004028136.tif 000005
【図４】
2004028136.tif 000006
【図５】
2004028136.tif 000007
【図６】
2004028136.tif 000008
【図７】
2004028136.tif 000009
【図８】
2004028136.tif 000010
【図９】
2004028136.tif 000011
【図１０】
2004028136.tif 000012
【図１１】
2004028136.tif 000013
【図１２】
2004028136.tif 000014
【図１３】
2004028136.tif 000015